(57)【特許請求の範囲】
【請求項１】
駐車場に駐車される車両毎に対応する個別連絡先が登録されたアドレスメモリと、
車両の駐車の有無を検出する駐車検出器と、
駐車場内への水の浸入による異常浸水を検出し、警報信号を出力する異常浸水検出器と、
前記異常浸水検出器が警報信号を出力した場合、前記駐車検出器で検出された駐車車両の個別連絡先に異常浸水を通報する通報装置と、
を備えることを特徴とする駐車場の異常浸水警報システム。
【請求項２】
請求項１に記載の駐車場の異常浸水警報システムであって、
前記異常浸水検出器は、駐車場の排水槽の水位を検出する水位センサを含み、前記水位センサが所定水位以上を検出した場合に警報信号を出力することを特徴とする駐車場の異常浸水警報システム。
【請求項３】
請求項１又は２に記載の駐車場の異常浸水警報システムであって、
前記異常浸水検出器は、駐車場の排水槽の単位時間当たりの増水量が所定量より多い場合に緊急警報信号を出力することを特徴とする駐車場の異常浸水警報システム。
【請求項４】
請求項１〜３のいずれかに記載の駐車場の異常浸水警報システムであって、更に、
前記通報装置の異常浸水の通報を開始させる通報開始装置を含むことを特徴とする駐車場の異常浸水警報システム。
【発明の詳細な説明】
【０００１】
【発明の属する技術分野】
本発明は、駐車場の異常浸水警報システム、特に駐車場で発生する異常浸水を車両の所有者等に通報する駐車場の異常浸水警報システムに関する。
【０００２】
【従来の技術】
近年、地価の高騰や土地の有効利用ために、駐車場は地下駐車場や立体地下駐車場として建設されることが多くなっている。このような地下駐車場は、降雨時において、排水システムの許容量を超え、排水が溢れて逆流し、異常浸水が発生しやすいため、異常浸水警報システムが設けられていることが多い。
【０００３】
ここで、従来の駐車場の異常浸水警報システムについて説明する。図６は、従来の駐車場の異常浸水警報システムの全体構成を示す概略図である。
【０００４】
図６に示すように、地下駐車場４０には車両４２が駐車されている。地下駐車場４０に溜まった水は一旦排水槽４４に溜められ、排水槽４４内の排水は、図示しない排水ポンプで外部に排出されている。
【０００５】
集中豪雨により水の量が多くなると、排水槽４４や排水ポンプの許容量を超え、異常浸水が生じ、排水槽４４内の水量が増加する。排水槽４４に設けられた水位センサ４６は、これを異常浸水として警報信号を出力する。水位センサ４６の警報信号は、監視装置４８に入力され、監視装置４８は、異常浸水警報を発報装置５０を介して遠隔の管理センタ５２の管理装置５４に発報する。管理センタ５２の作業員は、管理装置５４のデータ出力部５６で警報を確認する。
【０００６】
作業員は、警報を確認すると、ビルや地下駐車場４０の管理人に連絡を行う。同時に、作業員は、発報のあった地下駐車場４０に出動し、浸水防止の措置をとったり、図示しない別途設けられている補助排水ポンプで水を汲み上げ、車両の冠水を防止する。
【０００７】
【発明が解決しようとする課題】
しかしながら、管理センタ５２の作業員が浸水防止対策に出動しても、地下駐車場４０への到着前に、排水槽４４から地下駐車場４０内に排水が溢れ、作業員の到着時には車両４２が水没してしまうという事態が生じる。
【０００８】
また、大型の集中豪雨により地下駐車場４０への浸水量が予想以上に多い場合には、作業員による浸水防止対策が間に合わない場合がある。
【０００９】
水没した車両４２は結局廃棄することとなり、車両の所有者にとっては深刻な問題となる。
【００１０】
そこで本発明は、上記課題を解決するためになされたもので、駐車場の異常浸水を車両の所有者等に通報する駐車場の異常浸水警報システムを提供し、車両の所有者等による駐車場から車両の待避を促し、車両の水没を回避することを目的とする。
【００１１】
【課題を解決するための手段】
本発明の駐車場の異常浸水警報システムは、駐車場に駐車される車両毎に対応する個別連絡先が登録されたアドレスメモリと、車両の駐車の有無を検出する駐車検出器と、駐車場内への水の浸入による異常浸水を検出し、警報信号を出力する異常浸水検出器と、前記異常浸水検出器が警報信号を出力した場合、前記駐車検出器で検出された駐車車両の個別連絡先に異常浸水を通報する通報装置と、を備えることを特徴とする。
【００１３】
さらに、本発明の駐車場の異常浸水警報システムは、異常浸水検出器は、駐車場の排水槽の水位を検出する水位センサを含み、水位センサが所定水位以上を検出した場合に警報信号を出力することを特徴とする。
【００１４】
さらに、本発明の駐車場の異常浸水警報システムは、異常浸水検出器は、駐車場の排水槽の単位時間当たりの増水量が所定量より多い場合に緊急警報信号を出力することを特徴とする。
【００１５】
さらに、本発明の駐車場の異常浸水警報システムは、更に、通報装置の異常浸水の通報を開始させる通報開始装置を含むことを特徴とする。
【００１６】
【発明の実施の形態】
以下、本発明の好適な実施の形態（以下、実施形態という）について、図面を参照し説明する。なお、上述した従来の構成要素と同一又は相当部材には同一の符号を付している。
【００１７】
実施形態１
図１は、実施形態１の駐車場の異常浸水警報システムの全体構成を示す図である。
【００１８】
図１に示すように、駐車場の異常浸水を検出し、警報信号を出力する異常浸水検出器１０と、異常浸水検出器１０からの警報信号が入力される監視装置１２が設けられている。監視装置１２には、警報の発報先として、管理センタ５２の管理装置５４が接続されている。さらに、本実施形態においては、監視装置１２には、駐車場に駐車される車両毎に対応する個別連絡先に接続されており、個別連絡先に異常浸水が通報されている。
【００１９】
本実施形態において、異常浸水検出器１０は、地下駐車場４０の排水を貯留する排水槽４４に設けられた水位センサ１０で構成されている。水位センサ１０は、排水槽４４の任意の高さに設置され、所定水位以上を検出した場合に、地下駐車場４０の異常浸水として警報信号を出力する。水位センサ１０が警報信号を出力すると、この警報信号は、監視装置１２に入力される。
【００２０】
監視装置１２は、従来と同様に、異常浸水警報を発報装置５０を介して管理センタ５２の管理装置５４に発報する。管理装置５４には、データ出力部５６が設けられおり、警報はデータ出力部５６で出力され、確認することができる。
【００２１】
本実施形態において特徴的なことは、監視装置１２に、駐車場に駐車される車両毎に対応する個別連絡先が登録されたアドレスメモリ１４と、アドレスメモリ１４の個別連絡先に異常浸水を通報する通報装置１６と、を設けている点である。通報装置１６には、公衆回線１８を介してアドレスメモリ１４に登録された個別連絡先となる電話機２０が接続可能である。
【００２２】
これにより、水位センサ１０が警報信号を出力すると、通報装置１６は、アドレスメモリ１４に登録されている個別連絡先の電話機２０に異常浸水を通報することができる。
【００２３】
図２は、アドレスメモリ１４の個別連絡先の登録例を示す図である。アドレスメモリ１４には、駐車場に駐車される車両毎に対応する個別連絡先が登録されている。車両毎に対応する個別連絡先とは、異常浸水が通報された場合に、その車両を移動可能な者で、例えば、各車両の所有者、ドライバー等（以下、所有者等という）の連絡先である。本実施形態においては、図２に示すように、車両毎に番号ＡからＦが付され、それぞれの車両に対して電話番号が登録されている。なお、連絡先としては、所有者等の電話番号の他、携帯番号、携帯電話のeメールアドレス等を登録しても好適である。
【００２４】
通報装置１６は、監視装置１２に水位センサ１０から警報信号が入力された場合、アドレスメモリ１４の個別連絡先に異常浸水を通報する。例えば、図示しない音声合成装置を使用して、「駐車場に水が溜まり始めます。至急車両を移動してください。」と電話機２０により所有者等に通報する。個別連絡先がeメールアドレスの場合には、同様のメッセージで送信する。これにより、車両の所有者等は、地下駐車場４０の異常浸水警報を知ることができる。従って、車両の所有者等は、地下駐車場４０からその車両４２を移動することができ、その車両４２の水没を防止することができる。
【００２５】
次に、実施形態１の駐車場の異常浸水警報システムの全体の作用について説明する。
【００２６】
まず、アドレスメモリ１４に、車両毎に対応する個別連絡先を登録する。
【００２７】
集中豪雨により、排水槽４４内の水が増加し、水位センサ１０が検知すると、これを異常浸水として警報信号を出力する。この警報信号は、監視装置１２に入力される。
【００２８】
監視装置１２は、異常浸水警報を管理センタ５２の管理装置５４に発報する。管理センタ５２の作業員は、管理装置５４のデータ出力部５６で警報を確認する。作業員は、警報を確認すると、ビルや地下駐車場４０の管理人に連絡を行うと共に、浸水防止の措置をとるために発報のあった地下駐車場４０に出動する。
【００２９】
一方で、監視装置１２の通報装置１６は、アドレスメモリ１４に登録されている個別連絡先の電話機２０に異常浸水を通報する。これにより、通報を受けた車両の所有者等は、地下駐車場４０から車両４２を移動することができ、車両４２の水没を防止することができる。特に、地下駐車場４０へ管理センタ５２の作業員の到着が遅れた場合においても、異常浸水警報が車両の所有者等に通報されているので、通報を受けた車両の所有者等は自ら車両４２を移動することにより、車両の冠水を防止することができる。
【００３０】
実施形態２
図３は、実施形態２の駐車場の異常浸水警報システムの全体構成を示す図である。なお、上述した実施形態１と同一又は相当部材には同一の符号を付してその説明を省略する。
【００３１】
本実施形態において特徴的なことは、実施形態１の駐車場の異常浸水警報システムに地下駐車場４０の車両の駐車の有無を検出する駐車検出器２２が設けられれ、通報装置１６は、駐車検出器２２で検出された駐車車両の個別連絡先にのみ異常浸水を通報する点である。
【００３２】
本実施形態においては、駐車検出器２２は駐車スペース毎に設けられている。駐車検出器２２は、車両４２の駐車を検出し、その検出信号を監視装置１２に入力する。監視装置１２に水位センサ１０からの警報信号が入力されると、通報装置１６は、前述した駐車検出器２２で検出された駐車車両４２のアドレスメモリ１４の個別連絡先に異常浸水を通報する。これにより、地下駐車場４０の駐車車両４２の所有者等に通報することができ、地下駐車場４０に駐車されていない、すなわち冠水の可能性がない車両の個別連絡先への不要な通報を防止することができる。
【００３３】
なお、本実施形態においては、駐車検出器２２を駐車スペース毎に設けているが、地下駐車場４０への入場をチェックすることにより、駐車車両の有無を検出しても良い。
【００３４】
実施形態３
図４は、実施形態３の駐車場の異常浸水警報システムの全体構成を示す図である。なお、上述した実施形態１と同一又は相当部材には同一の符号を付してその説明を省略する。
【００３５】
本実施形態において特徴的なことは、実施形態１の駐車場の異常浸水警報システムに通報装置１６の異常浸水の通報を開始させる通報開始装置２４が設けられている点である。
【００３６】
実施形態１の駐車場の異常浸水警報システムでは、水位センサ１０が警報信号を出力すると、通報装置１６はアドレスメモリ１４に登録されている個別連絡先に異常浸水を通報する。例えば、単純な水漏れや排水ポンプ等の故障による一時的な排水槽４４の増水であっても、車両４２の所有者等に異常浸水として通報されてしまう。
【００３７】
そこで、本実施形態においては、通報開始装置２４の起動により、通報装置１６の異常浸水の通報を開始させている。
【００３８】
異常浸水警報が管理装置５４に発報されると、管理センタ５２の作業員は、地下駐車場４０の管理人等に連絡を行い、地下駐車場４０の地域が集中豪雨等か否か確認する。地下駐車場４０の地域が集中豪雨等であると確認がとれれば、作業員又は管理人は、通報開始装置２４を起動する。通報開始装置２４の起動により、通報装置１６は、アドレスメモリ１４の個別連絡先に異常浸水の通報を行う。これにより、単純な水漏れや排水ポンプの故障等において、車両の所有者等への通報を防止できる。
【００３９】
実施形態４
図５は、実施形態４の駐車場の異常浸水警報システムの異常浸水検出器の構成を示す図である。なお、上述した実施形態１と同一又は相当部材には同一の符号を付してその説明を省略する。
【００４０】
本実施形態において特徴的なことは、排水槽４４に第１の水位センサ２６と、第１の水位センサ２６より高い位置に第２の水位センサ２８と、第１の水位センサ２６及び第２の水位センサ２８の水位検出時間に基づいて単位時間当たりの増水量を検出する増水量検出装置３０と、で異常浸水検出器を構成している点である。
【００４１】
排水槽４４の第１の水位センサ２６及び第２の水位センサ２８が所定水位を検出すると、その検出信号は増水量検出装置３０に出力される。増水量検出装置３０は、排水槽４４の単位時間当たりの増水量が所定量より多い場合、緊急警報信号を出力する。排水槽４４の単位時間当たりの増水量が所定量より多い場合は、排水システムの排水量を超えて増水していると考えられ、地下駐車場４０に水が溢れる可能性が高いからである。この場合において、単位時間当たりの増水量の所定量は、予め設定することができ、排水システム等の駐車場の環境に応じて任意に定めることができる。増水量検出装置３０が緊急警報信号を出力すると、監視装置１２は管理装置５４に、通報装置１６は、アドレスメモリ１４の個別連絡先に異常浸水緊急警報を通報する。このように、緊急警報信号を出力することで、管理センタの作業者や車両の所有者等は異常浸水に対して早期に対策を行うことができる。
【００４２】
一方、排水槽４４の単位時間当たりの増水量が所定量より少ない場合は、管理装置５４への発報のみ行い、管理センタ５２の作業者の判断により車両４２の所有者等への通報を行うことも可能である。
【００４３】
なお、実施形態３の駐車場の異常浸水警報システムにおいて、異常浸水検出器を本実施形態のように構成すれば、管理センタ５２で早期に異常浸水を確認することができ、通報開始装置２４による通報の遅延を補足することができる。
【００４４】
なお、実施形態１から４において、地下駐車場における駐車場の異常浸水検出警報システムを説明したが、本発明の駐車場の異常浸水検出システムが適用される範囲は、地下駐車場に限られるものではない。
【００４５】
【発明の効果】
以上説明したように  本発明によれば、駐車場の異常浸水を車両の所有者等に通報することとしたので、車両の所有者等による駐車場から車両の待避を促し、車両の水没を回避することができる。
【図面の簡単な説明】
【図１】  実施形態１の駐車場の異常浸水警報システムの全体構成を示す図である。
【図２】  アドレスメモリの個別連絡先の登録例を示す図である。
【図３】  実施形態２の駐車場の異常浸水警報システムの全体構成を示す図である。
【図４】  実施形態３の駐車場の異常浸水警報システムの全体構成を示す図である。
【図５】  実施形態４の駐車場の異常浸水警報システムの全体構成を示す図である。
【図６】  従来の駐車場の異常浸水警報システムの全体構成を示す概略図である。
【符号の説明】
１０  異常浸水検出器、１２  監視装置、１４  アドレスメモリ、１６  通報装置、１８  公衆回線、２０  電話機、２２  駐車検出器、２４  通報開始装置、２６  第１の水位センサ、２８  第２の水位センサ、３０  増水量検出装置。
【図１】
0003636994.tif 000002
【図２】
0003636994.tif 000003
【図３】
0003636994.tif 000004
【図４】
0003636994.tif 000005
【図５】
0003636994.tif 000006
【図６】
0003636994.tif 000007